(57)【要約】  【課題】  レバー胴の回動軸回りにバランス良く、かつ確実に操作力を作用させられるようにして、不要な応力の発生の防止と操作性の向上を図ることのできる流路切換え用操作レバー及びその操作レバーを用いる浄水器を提供する。  【解決手段】  回転式の流路切換え弁に一体回転可能に結合され、所定の角度範囲内で回動し得るレバー胴２２と、このレバー胴２２から径方向外側に延出する操作片２３を設ける。レバー胴２２の外周面の操作片２３と逆側の略半円領域のうちの、操作片２３の先端部とレバー胴２２の回動中心を通る線分ｐに対して略対称な二位置に、操作補助突起２４ａ，２４ｂを形成する。操作片２３に親指を掛け、二つの操作補助突起２４ａと２４ｂに夫々人差し指と中指を掛けてレバー胴２２を回動操作することが可能になる。  【選択図】        図１
2006299682.tif 000002
【特許請求の範囲】
【請求項１】
回転式の流路切換え弁に一体回転可能に結合され、所定の角度範囲内で回動し得るレバー胴と、このレバー胴から径方向外側に延出する操作片と、を備え、
この操作片に指を掛けてレバー胴を回動させることで前記流路切換え弁を操作する流路切換え用操作レバーにおいて、
前記レバー胴の外周面のうちの、前記操作片と逆側の略半円領域にあって、前記操作片の先端部とレバー胴の回動中心を通る線分に対して略対称な二位置に、操作補助突起を設けたことを特徴とする流路切換え用操作レバー。
【請求項２】
前記操作片の先端部のうちの、操作片を鉛直上方側から手前側に水平に回動させるときに上になる側の面に、窪み部を設けたことを特徴とする請求項１に記載の流路切換え用操作レバー。
【請求項３】
導入水がフィルターを通過する浄水流路と、導入水がフィルターを通過せずに吐出される原水流路と、これらの流路を切換え操作する回転式の流路切換え弁と、この流路切換え弁に一体回転可能に結合された流路切換え用操作レバーと、を備えた浄水器において、請求項１または２に記載の流路切換え用操作レバーを用いたことを特徴とする浄水器。
【請求項４】
浄水器本体が導入水の供給源である蛇口に直結されることを特徴とする請求項３に記載の浄水器。
【発明の詳細な説明】
【技術分野】
【０００１】
この発明は、流路切換え用操作レバー、及び、その操作レバーを用いる浄水器に関するものである。
【背景技術】
【０００２】
一般家庭で用いられる浄水器の多くは、水道管からの導入水がフィルターを通過する浄水流路と、導入水がフィルターを通過せずに吐出されるストレート流路、さらに網目状の散水孔を通過するシャワー流路等がユーザーの嗜好等によって適宜選択切換えし得るようになっている。
【０００３】
このような浄水器は、一般に、回転位置に応じて上記の各流路を選択切換えし得る回転式の流路切換え弁を有し、この切換え弁を流路切換え用操作レバーによって回動操作するようになっている。流路切換え用操作レバーは、流路切換え弁の回動軸に半球状のレバー胴がビス止め等によって一体回転可能に取り付けられ、レバー胴から径方向外側に延出した操作片（レバー片）にユーザーが指を掛けて流路の切換え操作を行うようになっている（例えば、特許文献１等参照）。
【特許文献１】特開平１１−１１４３２４号公報
【発明の開示】
【発明が解決しようとする課題】
【０００４】
上記の浄水器に用いられる流路切換え用操作レバーは、主に、レバー胴から延出した操作片にユーザーが指先を掛けて回動操作するものであるため、ユーザーの操作力が回動軸回り（レバー胴の回動軸回り）にアンバランスに操作片に集中し、その操作力が各部に不要な応力を作用させる原因となり易い。特に、蛇口直結型の浄水器にあっては、蛇口の下端に浄水器本体が吊り下げられた形で結合されているため、上記の操作力の繰り返しの入力が、蛇口結合部に水漏れや破損を招く原因になることが懸念される。
【０００５】
また、上記の流路切換え用操作レバーは、操作片の先端部に親指の先を掛け、他の指でレバー胴を包み込むようにして切換え操作を行うこともあるが、この場合、ユーザーの手が水や洗剤で濡れていると、レバー胴側に掛けた指が滑り確実な回動操作を行うことが難しくなる。
【０００６】
そこでこの発明は、レバー胴の回動軸回りにバランス良く、かつ確実に操作力を作用させられるようにして、不要な応力の発生の防止と操作性の向上を図ることのできる流路切換え用操作レバー及びその操作レバーを用いる浄水器を提供しようとするものである。
【課題を解決するための手段】
【０００７】
上記の課題を解決するための手段として、請求項１に記載の発明は、回転式の流路切換え弁に一体回転可能に結合され、所定の角度範囲内で回動し得るレバー胴と、このレバー胴から径方向外側に延出する操作片と、を備え、この操作片に指を掛けてレバー胴を回動させることで前記流路切換え弁を操作する流路切換え用操作レバーにおいて、前記レバー胴の外周面のうちの、前記操作片と逆側の略半円領域にあって、前記操作片の先端部とレバー胴の回動中心を通る線分に対して略対称な二位置に、操作補助突起を設けようにした。
【０００８】
これにより、流路切換え用操作レバーは、操作片に親指を掛け、二つの操作補助突起に人差し指と中指、或いは他の指を掛けた状態でレバー胴を回動操作することができる。このとき、レバー胴に添えられた親指以外の指が二つの操作補助突起に確実に係止され、ユーザーの指によって加えられる操作力がレバー胴の回動軸回りにバランス良くほぼ均等に加えられる。即ち、操作片を手前側から上方に回動操作する場合には、レバー胴の奥側上部の操作補助突起を押し、奥側下部の操作補助突起を手前に引き込むようにしてレバー胴に操作力を伝達することができ、逆に、操作片を上方側から手前側に回動操作する場合には、レバー胴の奥側上部の操作補助突起を手前側に引き、奥側下部の操作補助突起を押し上げるようにしてレバー胴に操作力を伝達することができる。
【０００９】
また、前記操作片は、請求項２に記載のように、その先端部のうちの操作片を鉛直上方側から手前側に水平に回動させるときに上になる側の面に窪み部を設けることが望ましい。
この場合、操作片に人差し指を掛けて操作片を手前に引き降ろすように操作したときに、人指し指の腹が窪み部に掛かり指の滑りが阻止される。
【００１０】
この流路切換え用操作レバーは、請求項３に記載のように、導入水がフィルターを通過する浄水流路と、導入水がフィルターを通過せずに吐出される原水流路と、これらの流路を切換え操作する回転式の流路切換え弁と、この流路切換え弁に一体回転可能に結合された流路切換え用操作レバーと、を備えて成る浄水器に適用することができ、特に、請求項４に記載のように浄水器本体が導入水の供給源である蛇口に直結される浄水器に適用した場合には、浄水器本体と蛇口の結合部に不要な応力が作用するのを有効に防止することが可能になる。
【発明の効果】
【００１１】
この発明によれば、操作片に親指を掛け、レバー胴上の二位置の操作補助突起に人差し指と中指、或いは他の指を掛けて、レバー胴をバランス良く回動操作することができるため、レバー胴の回動操作時における不要な応力の発生の防止と、ユーザーの指の滑りの生じにくい確実な操作を実現することができる。
【００１２】
また、請求項２に記載のように、操作片にさらに窪みを形成した場合には、操作片に人差し指を掛けて操作片を手前に引き降ろすように操作する場合にも、親指に比較して細く荷重入力の難しい人差し指の滑りを窪みによって確実に阻止することができる。
【００１３】
また、この流路切換え用操作レバーは、請求項３，４に記載のように浄水器に適用することができるが、特に、請求項４に記載のように蛇口直結型の浄水器に適用した場合には、浄水器本体と蛇口の結合部に不要な応力が作用しにくくなるため、この結合部での水漏れや破損を有効に防止することができる。
【発明を実施するための最良の形態】
【００１４】
以下、この発明の一実施形態を、図面を参照して説明する。
図１〜図３は、この発明にかかる流路切換え用操作レバー１を採用した浄水器２の概観を示すものであり、図４〜図６は、この浄水器２の主要部の断面を示すものである。この浄水器２は、家庭用等として主に用いられる所謂蛇口直結型のものであり、図２に示すように、浄水器２の導入口３が導入水の供給源である蛇口４の先端部に連結ねじ５を介して締結されるようになっている。
【００１５】
浄水器２は、図１〜図６に示すように上部ケース６と下部ケース７から成るケーシング８に、選択切換え可能な三つの流路ａ，ｂ，ｃを有する流路ユニット９（図４参照）が収容されている。この流路ユニット９は、パッキン１０を介して蛇口４に接続される導入口３の直下位置に回転式の流路切換え弁１１が介装され、この流路切換え弁１１の回動位置に応じて三つの流路ａ，ｂ，ｃのうちの任意の一つが導入口３に選択的に接続されるようになっている。
【００１６】
流路ａは、流路切換え弁１１を挟んで導入口３の直下にある第１吐出口１２にストレートに導入水を供給するストレート流路であり、流路ｂは、第１吐出口１２の外周側に位置される第２吐出口１３に導入水を供給するシャワー流路である。第２吐出口１３には散水孔１４（図１２参照）が設けられ、導入水を散水状態にして下方に吐出するようになっている。また、残余の流路ｃは、導入水を流路切換え弁１１の正面奥側の浄水用のフィルター１５を経由して第３吐出口１６に供給する浄水流路である。第３吐出口１６は第２吐出口１３の正面左側に位置されている。なお、この実施形態の場合、ストレート流路ａとシャワー流路ｂはフィルター１５を通過せずに吐出される原水流路を構成している。
【００１７】
浄水流路ｃは、流路切換え弁１１を収容するバルブボディ１７側の配管１８ａ，１８ｂにフィルター収容容器１９が嵌合接続されて成り、フィルター収容容器１９には、フィルター１５のカートリッジが脱着可能に装填されている。フィルター収容容器１９の一端部はケーシング８の外側に突出し、その突出した端部にフィルター交換のためのキャップ２０が螺合されている。
【００１８】
流路切換え弁１１は、図４，図５に示すようにその回動軸１１ａがバルブボディ１７の端部から突出し、その回動軸１１ａに、流路切換え用操作レバー１（以下、「操作レバー１」と呼ぶ。）が一体回転可能に取り付けられている。この流路切換え弁１１は、操作レバー１を通して設定角度範囲で回動操作され、ほぼ３０°間隔に設定された流路切換え位置に停止できるようになっている。この三つの流路切換え位置は、前述の三つの流路（ストレート流路ａ、シャワー流路ｂ、浄水流路ｃ）に対応し、この位置の切換え操作によって任意の流路を選択し得るようになっている。なお、操作レバー１とバルブボディ１７の間には、三つの流路切換え位置で夫々節度感をもって停止し得るようにクリック機構２１が設けられている。
【００１９】
操作レバー１は、基端側が流路切換え弁１１の回動軸１１ａに結合され、先端側が半球状に形成されたレバー胴２２と、このレバー胴２２の先端側外周面から径方向外側に延出する操作片２３と、を備えている。この操作片２３は、図１〜図３に示すように先端側が略円形状に膨出した偏平な棒状に形成され、その先端部に親指や人差し指等を掛けてレバー胴２２を回動操作し得るようになっている。この実施形態の場合、操作片２３をほぼ鉛直上方に立てた状態で浄水流路ｃが選択され、さらに、操作片２３を手前側にほぼ水平に操作したときストレート流路ａが選択されるとともに、これらのほぼ中間位置に操作したときにシャワー流路ｂが選択されるようになっている。
【００２０】
また、レバー胴２２の外周面の操作片２３と逆側の略半円領域には、操作片２３の先端部とレバー胴２２の回動中心を通る線分ｐ（図１参照）に対して略対称な二位置に操作補助突起２４ａ，２４ｂが形成されている。この実施形態においては、操作片２３と二つの操作補助突起２４ａ，２４ｂはレバー胴２２の円周方向にほぼ等間隔になる位置に配置されている。また、各操作補助突起２４ａ，２４ｂは円弧形状の外形をもつ板状に形成され、かつ、レバー胴２２の回動軸方向にほぼ沿って形成されている。
【００２１】
操作片２３は、操作補助突起２４ａ，２４ｂの突出高さに対して充分に長い延出長さを持ち、先端部の略円形状部分の上面側（操作片２３を水平方向に回動させたときに上になる側）には、指先の腹を掛けることのできる窪み部２５が形成されている。
【００２２】
また、図７，図８に示すように、レバー胴２２の基部側には円筒壁２６が設けられ、その円筒壁２６が上部ケース６と下部ケース７に延設された円弧状のカバー壁２７，２８に回動可能に抱持されている。円筒壁２６の外周面には、円周方向に沿って「原水」、「シャワー」、「清水」等の吐出状態の表記がなされるとともに、その表記部２９のさらに基端側に、円周方向に沿うガイド溝３０が形成されている。このガイド溝３０は、図９に示すように一対のストッパ壁３１ａ，３１ｂによって円周方向で二分されている。
【００２３】
一方、上部ケース６と下部ケース７のカバー壁２７，２８の内周面には、平行な一対のガイド突起３２ａ，３２ｂが夫々突設され、これらのガイド突起３２ａ，３２ｂがレバー胴２２のガイド溝３０の外側の壁３０ａを抱持するようになっている。このとき、各ケース６，７の一方のガイド突起３２ｂはガイド溝３０に挿入され、ガイド溝３０内のストッパ壁３１ａ，３１ｂと当接する範囲内にレバー胴２２の回動を規制するようになっている。したがって、上部ケース６と下部ケース７がビス止めによって結合されると、操作レバー１の抜けが防止されるとともに、操作レバー１の回動範囲が設定角度範囲に規制される。この実施形態の構造においては、これらの機能を部品点数の増加を招くことなく実現することができる。
【００２４】
また、上部ケース６側のカバー壁２７には表示窓３３が設けられ、レバー胴２２の円筒壁２６に表記された「原水」、「シャワー」、「清水」等の文字のうちの、現在選択されている吐出状態に対応するものが表示窓３３を通して外部に露出するようになっている。
【００２５】
ところで、ケーシング８は、機能で大別すると、図３に示すようにバルブボディ１７を収容する直方体状のボディ収容ブロック３４と、フィルター収容容器１９を収容する有底円筒状の容器収容ブロック３５から成るものと考えることができるが、上部ケース６のボディ収容ブロック３４の上面の一部から容器収容ブロック３５の上部湾曲面にかけては開口３６が形成されており、この開口３６が脱着可能な化粧カバー３７によって覆われている。化粧カバー３７には係止爪３８が突設され、この係止爪３８が上部ケース６の対応する係合孔（図示せず）に係合されている。化粧カバー３７は、着色や表面の記載文字を変えたものを用意し、出荷のニーズ等に応じたものを適宜選択して装着する。また、上部ケース６上の化粧カバー３７によって覆われる部位には、図３に示すように上部ケース６と下部ケース７を結合するビスが螺合されるビス穴６０が設けられている。したがって、上部ケース６と下部ケース７を結合するビス（図示せず）は浄水器２の通常使用時には化粧カバー３７によって上方を覆われ、外部から見えない状態になっている。浄水器２は、この構造により外観品質の向上と、ビス止め部への埃等の堆積防止が図られている。
【００２６】
また、上部ケース６には、容器収容ブロック３５の軸方向に沿う第１の梁３９が開口３６を跨いで設けられ、その第１の梁３９の略中央部に長方形状の係止孔４０が形成されている。また、第１の梁３９の中央部には、ボディ収容ブロック３４側から延出した第２の梁４１が連結されている。これに対し、流路ユニット９側のフィルター収容容器１９の頂部上面には、図１０に示すように長方形状の突起４２が形成されており、この突起４２が第１の梁３９の係止孔４０に嵌合されるようになっている。したがって、フィルター収容容器１９は、突起４２と係止孔４０による嵌合部を介して第１の梁３９と第２の梁４１によってボディ収容ブロック３４側に剛的に支持されている。この梁３９，４１を通したフィルター収容容器１９の支持は、導入水による内圧によってフィルター収容容器１９がバルブボディ１７から離反する方向に押圧されるのに抗するためのものであり、これによってフィルター収容容器１９の変位が阻止されている。この結果、フィルター収容容器１９が上部ケース６や下部ケース７に押し付けられ両ケース６，７の変形や合せ面の口開き等を生じる不具合を無くすことが可能となっている。さらに、この実施形態においては、開口３６を跨ぐ第１の梁３９に係止孔４０を形成し、この係止孔４０にフィルター収容容器１９側の突起４２を嵌合するようになっているため、開口３６と係止孔４０を通して上方側から突起４２の位置を確認しつつ、突起４２と係止孔４０の嵌合作業を容易に行なうことができる。
【００２７】
さらに、この浄水器２においては、図１１に示すように上部ケース６と下部ケース７の間に、ロック爪６１と係止溝６２による係止構造が設けられ、前述のビス止めの前段階においてこの係止構造により両ケース６，７が仮止めされるようになっている。また、上部ケース６と下部ケース７の相互に付き合わされる端面には、図１１，図１２に示すような位置ずれ防止構造が設けられている。この位置ずれ防止構造は、下部ケース７の端面内縁に沿って形成された肉薄の係止壁６３と、上部ケース６の端面内縁に沿って形成された段差壁６４と、その段差壁６４とともにコ字状断面を形成するように上部ケース６の内面側に突設された支持突起と６５によって構成されている。
【００２８】
この位置ずれ防止構造によれば、極めて簡単な構造でありながら、上部ケース６と下部ケース７の組付時に両者の端面を正規に位置に容易に、かつ確実に案内することができるとともに、組付完了後には両ケース６，７間のガタ付きを確実に防止することができる。特に、この実施形態においては、他の部分に比較して剛性の低下する上部ケース６の開口３６の縁部にこの位置ずれ防止構造を採用しているため、ケーシング８の変形や合わせ部の口開きを有効に防止することができる。
【００２９】
また、この実施形態の場合、シャワー流路ｂには図１３，図１４に示すような工夫がなされている。即ち、シャワー流路ｂは、バルブボディ１７から下方に導通する導通孔４３と、第１吐出口１２の外周側に環状に設けられ複数の散水孔１４を有する散水面４４と、この散水面４４上の導通孔４３の直下位置に突設されたガイド突起４５と、を備え、導通孔４３から下方に吐出した導入水を、ガイド突起４５を通して散水面４４上にスムーズに誘導し得るようになっている。つまり、ガイド突起４５が無い場合には、導通孔４３から勢い良く吐出された導入水が散水面４４で直接跳ね返り、そこで乱流を生じることとなるが、この実施形態の場合には、ガイド突起４５によるスムーズな案内作用によってこの乱流の発生を確実に防止し、常時安定したシャワー流を得ることができる。
【００３０】
以上のように構成されたこの浄水器２は、例えば、以下のようにして操作レバー１による流路の切換え操作が行われる。
【００３１】
まず、基本的な操作は、図１に示すように操作片２３に親指を掛けるとともに、レバー胴２２上の二つの操作補助突起２４ａ，２４ｂに人差し指と中指を夫々掛け、その状態においてレバー胴２２を回動操作する。このとき、操作片２３を手前側から上方に回動操作する場合であれば、レバー胴２２の奥側上部の操作補助突起２４ａを人差し指で押し、かつ奥側下部の操作補助突起２４ｂを中指で手前側に引き込むように操作荷重を入力し、逆に、操作片２３を上方側から手前側に回動操作する場合であれば、奥側下部の操作補助突起２４ｂを中指で押し上げ、かつ奥側上部の操作補助突起２４ａを人差し指で手前側に引き込むようにして操作荷重を入力する。
【００３２】
したがって、このように操作レバー１を回動操作した場合には、レバー胴２２の回動軸回りに三点からバランス良く操作荷重の入力が行われることとなり、浄水器２の各部に不要な応力が作用しなくなる。このため、浄水器２と蛇口４の結合部にも、操作レバー１の操作に伴う不要な荷重が入力されないため、結合部での水漏れや破損等の発生も未然に防止することができる。
また、上記のような操作レバー１の把持が行われた場合には、補助指（この例の場合、人差し指と中指）が対称位置に配置されている操作補助突起２４ａ，２４ｂに夫々係合されるため、補助指を掛け直すことなく操作レバー１の回動方向を容易に連続して切り換えることができる。
さらに、この操作レバー１においては、操作片２３に掛ける親指以外の指を操作補助突起２４ａ，２４ｂに係合させレバー胴２２の回動操作を行うことができるため、ユーザーの手が水や洗剤で濡れていても滑りにくく、常に確実な操作を行うことができる。
【００３３】
また、変速的な操作として、図１５に示すように、ユーザーが操作片２３の上面に人差し指を乗せ、親指をケーシング８に掛けて人差し指一本で操作レバー１を回動させることがある。この場合、操作片２３の先端側上面に乗せた人差し指の腹が操作片２３の窪み部２５に掛止されるため、親指に比較して細く安定操作の難しい人差し指一本であっても、操作レバー１を確実に回動操作することができる。
【００３４】
さらに、この操作レバー１は、レバー胴２２の外周側に二つの操作補助突起２４ａ，２４ｂが設けられているため、様々な指の組み合わせでレバー胴２２の回動操作を行うことができる。このため、例えば指に障害のあるユーザーにおいても操作レバー１を容易に操作することができる。
【００３５】
なお、この発明は上記実施形態に限定されるものではなく、その要旨を逸脱しない範囲で種々の設計変更が可能である。例えば、上記の実施形態は、ストレート流路ａ、シャワー流路ｂ、浄水流路ｃの３流路のうちの一流路を流路切換え弁１１によって選択するものであるが、流路切換え弁１１は２流路、或いは、４流路以上の流路のうちの一つを選択するものであっても良い。また、レバー胴２２の外周面には、前記の操作補助突起２４ａ，２４ｂに加えて別の補助突起を設けることも可能である。
【００３６】
以下、上記の実施形態から把握し得る他の発明を作用・効果とともに列記する。
【００３７】
（ａ）  導入水がフィルターを通過する浄水流路と、導入水がフィルターを通過せずに吐出される散水面を通路するシャワー流路と、これらの流路を切換え操作する流路切換え弁と、を備えた浄水器において、前記散水面の上面のうちの、前記流路切換え弁に導通する導通孔の直下位置にガイド突起を突設し、前記導通孔から吐出された導入水を、前記ガイド突起を通して散水面に誘導することを特徴とする浄水器。
（作用・効果）
この発明の場合、流路切換え弁の切換え操作によって導入水が導通孔を通して吐出されると、その導入水はガイド突起に案内されてスムーズに散水面に誘導される。このため、導通孔から吐出された導入水が散水面上で勢い良く跳ね返って乱流を発生する不具合を無くすことができる。したがって、この発明によれば、常に安定したシャワー流を得ることができる。
【００３８】
（ｂ）  導入水がフィルターを通過する浄水流路と、導入水がフィルターを通過せずに吐出される原水流路と、これらの流路を切換え操作する回転式の流路切換え弁と、前記浄水流路及び原水流路と流路切換え弁の周囲を覆うケーシングと、前記流路切換え弁に一体回転可能に結合された流路切換え用操作レバーと、を備えた浄水器において、前記ケーシングに、流路切換え用操作レバーの付根部側の円筒壁を覆うカバー壁を設け、このカバー壁で前記円筒壁の軸方向変位を規制した状態で同円筒壁を回動可能に抱持することを特徴とする浄水器。
（作用・効果）
この発明の場合、ケーシングに設けたカバー壁によって流路切換え用操作レバーを回転可能に保持し、かつ、流路切換え用操作レバーの抜けを防止することができる。このため、流路切換え用操作レバーは流路切換え弁の回動軸にビス止め等で固定する必要がなくなり、その分部品点数の削減と、それによる製造コストの低減を図ることが可能になる。
【００３９】
（ｃ）  導入水がフィルターを通過する浄水流路と、導入水がフィルターを通過せずに吐出される原水流路と、これらの流路を切換え操作する回転式の流路切換え弁と、前記浄水流路及び原水流路と流路切換え弁の周囲を覆うケーシングと、前記流路切換え弁に一体回転可能に結合された流路切換え用操作レバーと、を備えた浄水器において、前記ケーシングに、流路切換え用操作レバーの付根部側の円筒壁を覆うカバー壁を設け、前記円筒壁の外周壁に流路を表記する表記部を設けるとともに、前記カバー壁に現在選択されている流路の表記部の表記のみを露出させる表示窓を形成したことを特徴とする浄水器。
（作用・効果）
この発明の場合、現在選択されている流路の表記のみが表示窓を通して外部に露出し、選択されていない流路の表記がカバー壁によって隠されるため、現在選択されている流路をユーザーに誤り無く認識させることができる。
【００４０】
（ｄ）  導入水がフィルターを通過する浄水流路と、導入水がフィルターを通過せずに吐出される原水流路と、これらの流路を切換え操作する流路切換え弁と、前記浄水流路及び原水流路と流路切換え弁の周囲を覆うケーシングと、を備えた浄水器において、前記ケーシングの上面に開口を形成し、この開口の前面を覆うように化粧カバーを脱着可能に取り付けたことを特徴とする浄水器。
（作用・効果）
この発明の場合、着色や表面の記載文字を変えた化粧カバーを用意し、その化粧カバーを適宜選択して装着することによって出荷のニーズ等に柔軟に対応することができる。
【００４１】
（ｅ）  導入水がフィルターを通過する浄水流路と、導入水がフィルターを通過せずに吐出される原水流路と、これらの流路を切換え操作する流路切換え弁と、前記フィルターを収容し高圧の導入水が導入されるフィルター収容容器と、前記浄水流路及び原水流路と流路切換え弁とフィルター収容容器の周囲を覆うケーシングと、を備えた浄水器において、
前記ケーシングのうちの、前記フィルター収容容器と流路切換え弁の離反方向に沿う壁に、フィルター収容容器と係合される凹凸嵌合構造を設けたことを特徴とする浄水器。
（作用・効果）
この発明の場合、フィルター収容容器が、ケーシングのフィルター収容容器と流路切換え弁の離反方向に沿う壁に係止されるため、フィルター収容容器の変位が確実に規制される。このため、フィルター収容容器が導入水の水圧によってケーシングに押し付けられ、それによってケーシングが変形する不具合を無くすことができる。
【図面の簡単な説明】
【００４２】
【図１】この発明の一実施形態の浄水器の操作状態を示す斜視図。
【図２】同実施形態を示す浄水器の斜視図。
【図３】同実施形態を示す浄水器の平面図。
【図４】同実施形態を示す図２のＡ−Ａ断面に対応する断面図。
【図５】同実施形態を示す図３のＢ−Ｂ断面に対応する断面図。
【図６】同実施形態を示す図３のＣ−Ｃ断面に対応する断面図。
【図７】同実施形態を示す図５の一部を拡大した断面図。
【図８】同実施形態を示す浄水器の分解斜視図。
【図９】同実施形態を示す図７のＤ−Ｄ断面に対応する断面図。
【図１０】同実施形態を示す浄水器の分解断面図。
【図１１】同実施形態を示す浄水器の分解斜視図。
【図１２】同実施形態を示す図１１のＦ−Ｆ断面図。
【図１３】同実施形態を示す図５の一部を拡大した断面図。
【図１４】同実施形態を示す図１３のＥ矢視図。
【図１５】同実施形態の浄水器の操作状態を示す斜視図。
【符号の説明】
【００４３】
１…操作レバー（流路切換え用操作レバー）
２…浄水器
１１…流路切換え弁
２２…レバー胴
２３…操作片
２４ａ，２４ｂ…操作補助突起
２５…窪み部
ａ…ストレート流路（原水流路）
ｂ…シャワー流路（原水流路）
ｃ…浄水流路
ｐ…線分
【図１】
2006299682.tif 000003
【図２】
2006299682.tif 000004
【図３】
2006299682.tif 000005
【図４】
2006299682.tif 000006
【図５】
2006299682.tif 000007
【図６】
2006299682.tif 000008
【図７】
2006299682.tif 000009
【図８】
2006299682.tif 000010
【図９】
2006299682.tif 000011
【図１０】
2006299682.tif 000012
【図１１】
2006299682.tif 000013
【図１２】
2006299682.tif 000014
【図１３】
2006299682.tif 000015
【図１４】
2006299682.tif 000016
【図１５】
2006299682.tif 000017